(57)【要約】【課題】多色プロセス画像と特色画像とを区別して再現することができるデータ出力装置、色変換装置、および色変換システムを提供することを目的とする。【解決手段】複数の色要素で構成される第１の色要素群で原画像の色が定義された第１の画像データに対し、所定色要素がプロセス色であるか特色であるかを判定する。第１の画像データを複数の色要素からなる第２の色要素群で色が定義された第２の画像データに変換する色変換装置に対し、所定色要素がプロセス色である場合は、プロセス色と他の色要素との混色を第２の色要素群で再現する指示を伝え、所定色要素が特色である場合は、特色を第２の色要素群で再現する指示を伝える。【選択図】        図６
2007336274.tif 000002
【特許請求の範囲】
【請求項１】
複数の色要素からなる第１の色要素群で原画像の色が定義された第１の画像データを取得する取得部と、
前記取得部で取得された第１の画像データを、複数の色要素からなる第２の色要素群で色が定義された第２の画像データに変換する色変換装置に向けて該第１の画像データを出力する出力部と、
前記取得部で取得された第１の画像データについて、前記第１の色要素群を構成する複数の色要素中の所定色要素がプロセス色であるか特色であるかを判定する特色判定部と、
前記特色判定部でプロセス色であると判定された場合には、前記色変換装置に対し、該プロセス色と他の色要素との混色が前記第２の色要素群で再現されるように第１の画像データを第２の画像データに変換することを指示し、前記特色判定部で特色であると判定された場合には、前記色変換装置に対し、該特色が前記第２の色要素群で再現されるように第１の画像データを第２の画像データに変換することを指示する指示部とを備えたことを特徴とするデータ出力装置。
【請求項２】
前記第１の画像データは、前記原画像が前記第１の色要素群を構成する複数の色要素それぞれに色分解された複数の色要素画像それぞれを表わす複数の色データで構成されたものであり、
前記取得部で取得された第１の画像データを構成する複数の色データそれぞれと、前記第１の色要素群を構成する複数の色要素それぞれとを所定の基準に従って関連付ける色関連部を備え、
前記出力部は、前記色関連部において関連付けがなされた第１の画像データを前記色変換装置に向けて出力するものであることを特徴とする請求項１記載のデータ出力装置。
【請求項３】
前記取得部は、前記複数の色データを順次に取得するものであり、
前記色関連部は、前記複数の色データそれぞれと、前記第１の色要素群を構成する複数の色要素それぞれとを、前記取得部で該複数の色データが取得された順に関連付けるものであることを特徴とする請求項２記載のデータ出力装置。
【請求項４】
前記第１の画像データは、前記第１の色要素群を構成する複数の色要素それぞれの色名が付された複数の色データで構成されるものであり、
前記複数の色データそれぞれに付された色名が表わす色と、前記色関連部において各色データに関連付けられた色要素とが一致するか否かを判定する一致判定部を備え、
前記出力部は、前記一致判定部で一致すると判定された場合にのみ、前記第１の画像データを前記色変換装置に向けて出力するものであることを特徴とする請求項２記載のデータ出力装置。
【請求項５】
前記取得部は、前記所定色要素がプロセス色である第１の画像データが格納されるプロセス格納部と、該所定色要素が特色である第１の画像データが格納される特色格納部とを備えたものであり、
前記判定部は、前記プロセス格納部に格納された第１の画像データについては前記所定色要素がプロセス色であると判定し、前記特色格納部に格納された第１の画像データについては該所定色要素が特色であると判定するものであることを特徴とする請求項１記載のデータ出力装置。
【請求項６】
前記取得部は、前記所定色要素と前記第２の色要素群との対応関係、および前記第１の色要素群のうち該所定色要素を除く色要素と該第２の色要素群との対応関係が示された特色用プロファイル、あるいは、該第１の色要素群と該第２の色要素群との対応関係が示されたプロセス用プロファイルのうちのいずれかのプロファイルが対応付けられた第１の画像データを取得するものであり、
前記判定部は、前記特色用プロファイルが対応付けられた第１の画像データについては前記所定色要素がプロセス色であると判定し、前記プロセス用プロファイルが対応付けられた第１の画像データについては該所定色要素が特色であると判定するものであることを特徴とする請求項１記載のデータ出力装置。
【請求項７】
複数の色要素からなる第１の色要素群で原画像の色が定義された第１の画像データを、該第１の色要素群を構成する複数の色要素中の所定色要素と他の色要素との混色を、複数の色要素からなる第２の色要素群で再現する第１の指示、あるいは該所定色要素を該第２の色要素群で再現する第２の指示とともに取得する指示取得部と、
前記指示取得部で前記第１の指示が取得された場合には、該第１の指示に従って、前記第１の画像データを該第２の色要素で原画像の色が定義された第２の画像データに変換するとともに、該指示取得部で前記第２の指示が取得された場合には、該第２の指示に従って、該第１の画像データを第２の画像データに変換する変換部とを備えたことを特徴とする色変換装置。
【請求項８】
複数の色要素からなる第１の色要素群で原画像の色が定義された第１の画像データを取得する取得部と、
前記取得部で取得された第１の画像データを、複数の色要素からなる第２の色要素群で色が定義された第２の画像データに変換する色変換装置に向けて該第１の画像データを出力する出力部と、
前記取得部で取得された第１の画像データについて、前記第１の色要素群を構成する複数の色要素中の所定色要素がプロセス色であるか特色であるかを判定する特色判定部と、
前記特色判定部でプロセス色であると判定された場合には、前記色変換装置に対し、該プロセス色と他の色要素との混色が前記第２の色要素群で再現されるように第１の画像データを第２の画像データに変換することを指示し、前記特色判定部で特色であると判定された場合には、前記色変換装置に対し、該特色が前記第２の色要素群で再現されるように第１の画像データを第２の画像データに変換することを指示する指示部と、
前記第１の画像データを、前記第１の指示、あるいは前記第２の指示とともに取得する指示取得部と、
前記指示取得部で前記第１の指示が取得された場合には、該第１の指示に従って、前記第１の画像データを該第２の色要素で原画像の色が定義された第２の画像データに変換するとともに、該指示取得部で前記第２の指示が取得された場合には、該第２の指示に従って、該第１の画像データを第２の画像データに変換する変換部とを備えたことを特徴とする色変換システム。
【発明の詳細な説明】
【技術分野】
【０００１】
本発明は、色変換装置に向けて画像データを出力するデータ出力装置、画像データを取得してその画像データに色変換処理を施す色変換装置、および色変換システムに関する。
【背景技術】
【０００２】
従来、カラー印刷の分野においては、Ｃ（シアン）、Ｍ（マゼンタ）、Ｙ（イエロー）、Ｋ（黒）４色のプロセスインクが使用され、それらのプロセスインクが重ね合わされることによって様々な色が表現されている。しかし、プロセスインクの組み合わせでは表現しにくい金色や銀色などといった色や、企業のイメージカラーなどのように、使用頻度が高く、微妙な色合いを常に安定して出力することが要求される色などについては、「特色」としてその色をそのまま表現するように特別に調整されたインク（以下、この特色用のインクを特色インクと称する）が用いられる。特色インクを使用可能な印刷機などでは、原画像のうちの特色の画像部分を表わす特色データと、原画像のうちの特色以外の画像部分がＣ，Ｍ，Ｙ，Ｋそれぞれに色分解された４色のプロセス色データとが入力され、それら特色データおよびプロセス色データに基づいて、特色は特色インクで表現され、特色以外の色はプロセスインクで表現されたカラー画像（以下では、特色インクのみ、あるいは特色インクとプロセスインクとを使って出力される画像を特色画像と称する）が作成される。
【０００３】
また、近年では、Ｃ，Ｍ，Ｙ，Ｋ４色のインクに加えて、Ｏ（オレンジ）やＧ（グリーン）などの追加インクを使用し、印刷機等の色再現領域を拡大することが行われてきている。この場合、Ｏ色やＧ色は特色ではなくプロセス色として扱われ、原画像がＣ，Ｍ，Ｙ，Ｋ，Ｏ，Ｇそれぞれに色分解された６色のプロセス色データに基づいて、原画像全体が６色のプロセスインクで構成されたカラー画像（以下では、特色インクを使わずに出力される画像をプロセス画像と称し、プロセス画像の中でも、ＣＭＹＫ４色以外の追加インクが使用されて出力される画像を多色プロセス画像と称する）が作成される。このように、Ｃ，Ｍ，Ｙ，Ｋ以外の色をプロセス色として加えることによって、印刷機等で表現可能な色を増加させることができる。
【０００４】
ところで、汎用のプルーファなどには、Ｃ，Ｍ，Ｙ，Ｋ４色以外の色のインクを使用できないものも多く、そのような出力デバイスでは、特色も特色以外の色と同様にプロセスインクを使って表現することが行われている（例えば、特許文献１参照）。このような出力デバイスで特色画像を再現する場合、Ｃ，Ｍ，Ｙ，Ｋ４色のプロセス色データと特色データとが取得されると、Ｃ，Ｍ，Ｙ，Ｋ４色のプロセス色データそれぞれが表わす４色の色版画像が重ね合わされてなるプロセス色の画像部分がプルーファ用のＣ´，Ｍ´，Ｙ´，Ｋ´４色に色分解されて、Ｃ´，Ｍ´，Ｙ´，Ｋ´４色のプロセス分解データが生成されるとともに、特色データが表わす特色の画像部分もＣ´，Ｍ´，Ｙ´，Ｋ´４色に色分解されて、Ｃ´，Ｍ´，Ｙ´，Ｋ´４色の特色分解データが生成される。その結果、原画像のうちの特色以外の色は、プロセス分解データに基づいてＣ´，Ｍ´，Ｙ´，Ｋ´４色の混色として再現され、原画像のうちの特色は、特色分解データに基づいてＣ´，Ｍ´，Ｙ´，Ｋ´４色の混色として再現される。このように、特色と特色以外の色とをそれぞれ別に色分解して再現することによって、特色は、原画像中の特色に近い色で表現することができ、特色以外の色は、原画像の色を精度良く再現することができる。
【特許文献１】特開２００１−２３２８６８号公報
【発明の開示】
【発明が解決しようとする課題】
【０００５】
ここで、上述したように、近年では、Ｃ，Ｍ，Ｙ，Ｋ４色以外の色を、特色としてではなくプロセス色として利用することが行われている。このようなＣ，Ｍ，Ｙ，Ｋ以外の色（Ｏ，Ｇ）をプロセス色として利用した多色プロセス画像をプルーファで再現する場合には、原画像がＣ，Ｍ，Ｙ，Ｋ，Ｏ，Ｇそれぞれに色分解された６色のプロセス色データが取得される。しかし、従来のプルーファでは、Ｃ，Ｍ，Ｙ，Ｋ，Ｏ，Ｇ６色のプロセス色データが取得されても、Ｃ，Ｍ，Ｙ，Ｋ色のプロセス色データがプルーファ用のＣ´，Ｍ´，Ｙ´，Ｋ´４色のプロセス分解データに変換され、さらにＯ，Ｇ２色のプロセス色データがそれぞれにＣ´，Ｍ´，Ｙ´，Ｋ´４色の特色分解データに変換されてしまい、Ｏ，Ｇ色が含まれた画像部分の色が不自然な色に変換されてしまって、再現精度が劣化してしまうという問題がある。
【０００６】
本発明は、上記事情に鑑み、多色プロセス画像と特色画像とを区別して再現することができるデータ出力装置、色変換装置、および色変換システムを提供することを目的とする。
【課題を解決するための手段】
【０００７】
上記目的を達成する本発明のデータ出力装置は、複数の色要素からなる第１の色要素群で原画像の色が定義された第１の画像データを取得する取得部と、
取得部で取得された第１の画像データを、複数の色要素からなる第２の色要素群で色が定義された第２の画像データに変換する色変換装置に向けて第１の画像データを出力する出力部と、
取得部で取得された第１の画像データについて、第１の色要素群を構成する複数の色要素中の所定色要素がプロセス色であるか特色であるかを判定する特色判定部と、
特色判定部でプロセス色であると判定された場合には、色変換装置に対し、そのプロセス色と他の色要素との混色が第２の色要素群で再現されるように第１の画像データを第２の画像データに変換することを指示し、特色判定部で特色であると判定された場合には、色変換装置に対し、特色が第２の色要素群で再現されるように第１の画像データを第２の画像データに変換することを指示する指示部とを備えたことを特徴とする。
【０００８】
本発明のデータ出力装置によると、第１の画像データが取得されると、その第１の画像データについて所定色要素がプロセス色であるか特色であるかが判定され、プロセス色であると判定された場合には、そのプロセス色と他の色要素との混色を第２の色要素群で再現する指示が第１の画像データとともに色変換装置に向けて出力され、特色であると判定された場合には、その特色を第２の色要素群で再現する指示が第１の画像データとともに出力される。色変換装置では、データ出力装置から伝えられた指示に従って第１の画像データが第２の画像データに変換されることによって、第１の画像データが表わす原画像に特色が含まれている場合は、特色と特色以外の色とが別々に第２の色要素群で再現され、原画像に特色が含まれていない場合は、原画像の色がプロセス色の混色として扱われて、その混色が第２の色要素群で再現される。したがって、特色を含む特色画像と、Ｃ，Ｍ，Ｙ，Ｋ以外のプロセス色が使用される多色プロセス画像とを区別して再現することができ、原画像を精度良く再現することができる。
【０００９】
また、本発明のデータ出力装置において、「第１の画像データは、原画像が第１の色要素群を構成する複数の色要素それぞれに色分解された複数の色要素画像それぞれを表わす複数の色データで構成されたものであり、
上記取得部で取得された第１の画像データを構成する複数の色データそれぞれと、第１の色要素群を構成する複数の色要素それぞれとを所定の基準に従って関連付ける色関連部を備え、
上記出力部は、色関連部において関連付けがなされた第１の画像データを色変換装置に向けて出力するものである」という形態は好ましい。
【００１０】
色関連部が備えられることによって、第１の画像データを構成する複数の色データそれぞれに対して、Ｃ，Ｍ，Ｙ，Ｋ以外の色を特色ではなくプロセス色として関連付けることができる。
【００１１】
また、本発明のデータ出力装置において、上記取得部は、前記複数の色データを順次に取得するものであり、
上記色関連部は、複数の色データそれぞれと、第１の色要素群を構成する複数の色要素それぞれとを、取得部で複数の色データが取得された順に関連付けるものであることが好ましい。
【００１２】
予め決められた順番で複数の色データが取得されることによって、複数の色データそれぞれと複数の色要素それぞれとを確実に関連付けることができる。
【００１３】
また、本発明のデータ出力装置において、「第１の画像データは、第１の色要素群を構成する複数の色要素それぞれの色名が付された複数の色データで構成されるものであり、
複数の色データそれぞれに付された色名が表わす色と、色関連部において各色データに関連付けられた色要素とが一致するか否かを判定する一致判定部を備え、
上記出力部は、一致判定部で一致すると判定された場合にのみ、第１の画像データを色変換装置に向けて出力するものである」という形態は好ましい。
【００１４】
複数の色データそれぞれに色名が付され、それらの色名が表わす色と色関連部で関連付けられた色要素とが一致する場合にのみ、第１の画像データが色変換装置に出力されることによって、色データに誤った色要素が関連付けられたまま、誤った色変換が実行されてしまう不具合が回避される。
【００１５】
また、本発明のデータ出力装置において、「上記取得部は、所定色要素がプロセス色である第１の画像データが格納されるプロセス格納部と、所定色要素が特色である第１の画像データが格納される特色格納部とを備えたものであり、
上記判定部は、プロセス格納部に格納された第１の画像データについては所定色要素がプロセス色であると判定し、特色格納部に格納された第１の画像データについては所定色要素が特色であると判定するものである」という形態は好適である。
【００１６】
本発明の好適な形態のデータ出力装置によると、オペレータは、Ｃ，Ｍ，Ｙ，Ｋ以外の追加色を特色として再現したい場合には、第１の画像データを特色格納部に格納し、追加色をプロセス色として再現したい場合には、第１の画像データをプロセス格納部に格納すればよく、特色画像や多色プロセス画像を容易に区別して再現することができる。
【００１７】
また、本発明のデータ出力装置において、上記取得部は、所定色要素と第２の色要素群との対応関係、および第１の色要素群のうち所定色要素を除く色要素と第２の色要素群との対応関係が示された特色用プロファイル、あるいは、第１の色要素群と第２の色要素群との対応関係が示されたプロセス用プロファイルのうちのいずれかのプロファイルが対応付けられた第１の画像データを取得するものであり、
上記判定部は、特色用プロファイルが対応付けられた第１の画像データについては所定色要素がプロセス色であると判定し、プロセス用プロファイルが対応付けられた第１の画像データについては所定色要素が特色であると判定するものであることも好ましい。
【００１８】
ここで、本発明にいう「画像データとプロファイルとの対応付け」とは、データ出力装置などに予めプロファイルを記憶しておき、さらにそのプロファイルと対応付ける画像データのデータ名を記憶しておくものであってもよく、画像データに、その画像データと対応付けるプロファイルの名称が含まれたデータ名を付加するものであってもよく、画像データ中に、その画像データと対応付けるプロファイルの名称等を組み込むものであってもよい。
【００１９】
従来から、画像データにプロファイルを対応付け、そのプロファイルを使って画像データに色変換処理を施すことが一般的に行われている。プロセス用プロファイルと特色用プロファイルのうちのいずれかのプロファイルが対応付けられた第１の画像データを取得し、判定部において、そのプロファイルを使って所定色要素がプロセス色であるか特色であるかを判定することによって、従来のプルーフシステムを大きな変更を伴わずに流用することができる。
【００２０】
また、上記目的を達成する本発明の色変換装置は、複数の色要素からなる第１の色要素群で原画像の色が定義された第１の画像データを、第１の色要素群を構成する複数の色要素中の所定色要素と他の色要素との混色を、複数の色要素からなる第２の色要素群で再現する第１の指示、あるいは所定色要素を第２の色要素群で再現する第２の指示とともに取得する指示取得部と、
指示取得部で第１の指示が取得された場合には、第１の指示に従って、第１の画像データを第２の色要素で原画像の色が定義された第２の画像データに変換するとともに、指示取得部で第２の指示が取得された場合には、第２の指示に従って、第１の画像データを第２の画像データに変換する変換部とを備えたことを特徴とする。
【００２１】
本発明の色変換装置によると、指示取得部で取得された指示に従って第１の画像データを第２の画像データに変換することによって、特色が含まれる原画像と、Ｃ，Ｍ，Ｙ，Ｋ以外の追加色がプロセス色として利用された原画像とを区別して再現することができる。
【００２２】
尚、色変換装置については、ここではその基本形態のみを示すのにとどめるが、これは単に重複を避けるためであり、本発明にいう色変換装置には、上記の基本形態のみではなく、前述したデータ出力装置の各形態に対応する各種の形態が含まれる。
【００２３】
また、上記目的を達成する本発明の色変換システムは、複数の色要素からなる第１の色要素群で原画像の色が定義された第１の画像データを取得する取得部と、
取得部で取得された第１の画像データを、複数の色要素からなる第２の色要素群で色が定義された第２の画像データに変換する色変換装置に向けて第１の画像データを出力する出力部と、
取得部で取得された第１の画像データについて、第１の色要素群を構成する複数の色要素中の所定色要素がプロセス色であるか特色であるかを判定する特色判定部と、
特色判定部でプロセス色であると判定された場合には、色変換装置に対し、プロセス色と他の色要素との混色が第２の色要素群で再現されるように第１の画像データを第２の画像データに変換することを指示し、特色判定部で特色であると判定された場合には、色変換装置に対し、特色が第２の色要素群で再現されるように第１の画像データを第２の画像データに変換することを指示する指示部と、
第１の画像データを、第１の指示、あるいは第２の指示とともに取得する指示取得部と、
指示取得部で第１の指示が取得された場合には、第１の指示に従って、第１の画像データを第２の色要素で原画像の色が定義された第２の画像データに変換するとともに、指示取得部で第２の指示が取得された場合には、第２の指示に従って、第１の画像データを第２の画像データに変換する変換部とを備えたことを特徴とする。
【００２４】
本発明の色変換装置によると、多色プロセス画像と特色画像とを区別して再現することができる。
【００２５】
尚、色変換システムについても、ここではその基本形態のみを示すのにとどめるが、これは単に重複を避けるためであり、本発明にいう色変換システムには、上記の基本形態のみではなく、前述したデータ出力装置の各形態に対応する各種の形態が含まれる。
【発明の効果】
【００２６】
本発明によれば、多色プロセス画像と特色画像とを区別して再現することができる。
【発明を実施するための最良の形態】
【００２７】
以下、図面を参照して本発明の実施の形態を説明する。
【００２８】
図１は、本発明の一実施形態が組み込まれた印刷・プルーフシステムの全体構成図である。
【００２９】
図１に示す印刷・プルーフシステムは、主には、カラースキャナ１０、ワークステーション２０、ＣＴＰ３０、特色印刷機４１、多色プロセス印刷機４２、パーソナルコンピュータ５０、およびカラープリンタ６０で構成されている。本実施形態においては、特色印刷機４１は、Ｃ，Ｍ，Ｙ，Ｋ４色のプロセス色インクと、Ｓ（シルバー）の特色インクとを使って画像を形成するものであり、多色プロセス印刷機４２は、Ｃ，Ｍ，Ｙ，Ｋ４色にＯ，Ｇ２色を加えた計６色のプロセス色インクを使って画像を形成するものであり、カラープリンタ６０は、Ｃ´，Ｍ´，Ｙ´，Ｋ´４色のプロセスインクを使って画像をプリント出力するものである。
【００３０】
カラースキャナ１０では、原稿画像が読み取られて、その原稿画像を表わすＲ、Ｇ，Ｂ３色の色分解画像データが生成される。このＲＧＢの色分解画像データはワークステーション２０に入力される。また、図示しないが、パーソナルコンピュータなどを使って作成されたＣ，Ｍ，Ｙ，Ｋ４色の色分解画像データや、デジタルカメラで被写体が撮影されて得られたＬ＊，ａ＊，ｂ＊３色の色分解画像データなどもワークステーション２０に入力される。このワークステーション２０は、接続ケーブルを介して色分解画像データを受け取るものであってもよく、ワークステーション２０とカラースキャナ１０とが離れた場所に設置されているときは、ワークステーション２０から、例えばコンピュータネットワークを介して、あるいは、ＭＯディスク（光磁気ディスク）などといった記憶媒体によって色分解画像データを受け取るものであってもよい。
【００３１】
ワークステーション２０では、オペレータにより、入力された色分解画像データに基づく電子的な集版が行なわれ、印刷用の画像を表わす印刷画像データが生成される。
【００３２】
特色画像を印刷する際には、ワークステーション２０を操作するオペレータによって、ＣＭＹＫ４色のプロセスインクのみでなく、特色インク（シルバー：Ｓ）を使用した印刷を行うことが決定され、電子集版では、その特色を含めた画像がデザインされる。その結果、印刷される印刷画像のうち、特色インクで刷られる特色の画像部分を表わす特色データと、特色以外の画像部分がＣ，Ｍ，Ｙ，Ｋ４色に色分解された４色のプロセス色データとで構成された印刷画像データが生成される。生成された印刷画像データは、印刷を行う場合はＣＴＰ３０に入力され、ＣＴＰ３０では、その入力された印刷画像データに対応した、ＣＭＹＫ各プロセス色版とＳの特色版とからなる刷版が作成される。作成された刷版は特色印刷機４１に装着され、インクが塗布されて、その塗布されたインクが印刷用の用紙上に転写される。このようにして、特色データが表わす画像部分が特色インクで構成され、ＣＭＹＫ４色のプロセス色データが表わす画像部分がＣＭＹＫ４色のプロセスインクで構成された特色画像４１ａが形成される。
【００３３】
また、多色プロセス画像を印刷する際には、ワークステーション２０を操作するオペレータによって、ＣＭＹＫＯＧ６色のプロセスインクを使用する画像がデザインされる。その結果、印刷される印刷画像がＣ，Ｍ，Ｙ，Ｋ，Ｏ，Ｇ６色に色分解された６色のプロセス色データで構成された印刷画像データが生成される。生成された印刷画像データはＣＴＰ３０に入力され、ＣＴＰ３０では、ＣＭＹＫＯＧ各プロセス色刷で構成された刷版が作成される。刷版は多色プロセス印刷機４２に装着され、画像全体がＣＭＹＫＯＧ６色のインクで構成された多色プロセス画像４２ａが形成される。
【００３４】
特色画像４１ａや多色プロセス画像４２ａを印刷するための作業は、刷版を作成して印刷機４１，４２に装着し、その刷版にインクを塗布して用紙上に印刷を行う大掛かりな作業であり、コストもかかる。このため、実際の印刷作業を行う前に、以下のようにしてプルーフ画像６１ａ，６２ａを作成し、特色画像４１ａや多色プロセス画像４２ａの仕上がりの事前確認が行われる。
【００３５】
プルーフ画像６１ａ，６２ａを作成するにあたっては、ワークステーション２０上の電子集版により作成された印刷画像データがパーソナルコンピュータ５０に入力され、パーソナルコンピュータ５０では、印刷画像データがカラープリンタ６０用のプルーフ画像データに変換される。
【００３６】
パーソナルコンピュータ５０に、特色画像４１ａを表わす印刷画像データが入力された場合は、印刷画像データを構成する特色データが、特色がカラープリンタ６０用のＣ´Ｍ´Ｙ´Ｋ´４色に色分解された４色の特色分解データに変換され、印刷画像データを構成するＣＭＹＫ４色のプロセス色データが、特色以外の混色がＣ´Ｍ´Ｙ´Ｋ´４色に色分解された４色のプロセス分解データに変換される。さらに、それら特色分解データとプロセス分解データとが合成されることによって、Ｃ´Ｍ´Ｙ´Ｋ´４色の合成色分解データによって構成されたプルーフ画像データが生成される。生成されたプルーフ画像データはカラープリンタ６０に送られ、カラープリンタ６０では、プルーフ画像データに基づいて、特色印刷機４１によって印刷される特色画像４１ａを再現したプルーフ画像６１ａが生成される。
【００３７】
また、パーソナルコンピュータ５０に、多色プロセス画像４２ａを表わす印刷画像データが入力された場合は、印刷画像データを構成するＣＭＹＫＯＧ６色のプロセス色データが、それらのプロセス色データが表わす画像がカラープリンタ６０用のＣ´Ｍ´Ｙ´Ｋ´４色に色分解された４色のプロセス分解データに変換されることにより、４色のプロセス分解データで構成されるプルーフ画像データが生成される。カラープリンタ６０では、プルーフ画像データに基づいて、多色プロセス印刷機４２によって印刷される多色プロセス画像４２ａを再現したプルーフ画像６２ａが生成される。
【００３８】
このようにして作成されたプルーフ画像６１ａ，６２ａを確認することにより、印刷の仕上りを事前に確認することができる。
【００３９】
ここで、図１に示す印刷・プルーフシステムにおける本発明の一実施形態としての特徴は、パーソナルコンピュータ５０で実行される処理内容にある。まずは、このパーソナルコンピュータ５０について詳しく説明する。
【００４０】
図２は、図１に示すパーソナルコンピュータ５０の外観斜視図、図３は、そのパーソナルコンピュータ５０のハードウェア構成図である。
【００４１】
パーソナルコンピュータ５０は、図２に示すように、外観構成上、本体装置５１、その本体装置５１からの指示に応じて表示画面５２ａ上に画像を表示する画像表示装置５２、本体装置５１に、キー操作に応じた各種の情報を入力するキーボード５３、および、表示画面５２ａ上の任意の位置を指定することにより、その位置に表示されたアイコン等に応じた指示を入力するマウス５４を備えている。また、本体装置５１は、外観上、フレキシブルディスク（以下では、ＦＤと省略する）を装填するためのＦＤ装填口５１ａ、およびＣＤ−ＲＯＭを装填するためのＣＤ−ＲＯＭ装填口５１ｂを有する。
【００４２】
本体装置５１の内部には、図３に示すように、各種プログラムを実行するＣＰＵ５１１、ハードディスク装置５１３に格納されたプログラムが読み出されＣＰＵ５１１での実行のために展開される主メモリ５１２、各種プログラムやデータ等が保存されたハードディスク装置５１３、ＦＤ１００が装填され、その装填されたＦＤ１００をアクセスするＦＤドライブ５１４、ＣＤ−ＲＯＭ１１０をアクセスするＣＤ−ＲＯＭドライブ５１５、図１のワークステーション２０と接続され、ワークステーション２０から画像データを受け取る入力インタフェース５１６、図１のカラープリンタ６０と接続され、カラープリンタ６０に画像データを送る出力インタフェース５１７が内蔵されており、これらの各種要素と、さらに図２にも示す画像表示装置５０２、キーボード５０３、およびマウス５０４は、バス５５を介して相互に接続されている。
【００４３】
ここで、ＣＤ−ＲＯＭ１１０には、色変換プログラムが記憶されている。そのＣＤ−ＲＯＭ１１０はＣＤ−ＲＯＭドライブ５１５に装填され、そのＣＤ−ＲＯＭ１１０に記憶された色変換プログラムがこのパーソナルコンピュータ５０にアップロードされてハードディスク装置５１３に記憶される。そして、この色変換プログラムが起動されて実行されることにより、パーソナルコンピュータ５０内に、本発明のデータ出力装置および色変換装置それぞれの一実施形態を兼ねた色変換装置が構築される。
【００４４】
尚、上記では、色変換プログラムを記憶する記憶媒体としてＣＤ−ＲＯＭ１１０が例示されているが、色変換プログラムを記憶する記憶媒体はＣＤ−ＲＯＭに限られるものではなく、それ以外の光ディスク、ＭＯ、ＦＤ、磁気テープなどの記憶媒体であってもよい。また、色変換プログラムは、記憶媒体を介さずに、入力インタフェース２１６を介して直接にパーソナルコンピュータ５０に供給されるものであってもよい。
【００４５】
次に、色変換プログラムについて説明する。
【００４６】
図４は、色変換プログラムが記憶されたＣＤ−ＲＯＭ１１０を示す概念図である。
【００４７】
図４に示すように、ＣＤ−ＲＯＭ１１０に記憶された色変換プログラム２００は、設定部２１０、取得部２２０、色関連部２３０、特色判定部２４０、指示部２５０、および色変換部２６０で構成されている。
【００４８】
色変換プログラム２００の各部の詳細については、色変換装置の各部の作用と一緒に説明する。
【００４９】
図５は、色変換装置の機能ブロック図である。
【００５０】
色変換装置３００は、設定部３１０と、取得部３２０と、色関連部３３０と、特色判定部３４０と、指示部３５０と、色変換部３６０とを有している。
【００５１】
色変換装置３００を構成する、設定部３１０と、取得部３２０と、色関連部３３０と、特色判定部３４０と、指示部３５０と、色変換部３６０は、図４に示す色変換プログラム２００を構成する、設定部２１０、取得部２２０、色関連部２３０、特色判定部２４０、指示部２５０、および色変換部２６０にそれぞれ対応する。
【００５２】
図５の各要素は、コンピュータのハードウェアとそのコンピュータで実行されるＯＳやアプリケーションプログラムとの組合せで構成されているのに対し、図４に示す色変換プログラム２００の各要素はそれらのうちのアプリケーションプログラムのみにより構成されている点が異なる。
【００５３】
上述したように、図１に示すワークステーション２０からは、ＣＭＹＫ４色のプロセス色データとＳ色の特色データとで構成される印刷画像データや、ＣＭＹＫＯＧ６色のプロセス色データで構成される印刷画像データが入力される。
【００５４】
色変換装置３００の設定部３１０は、図１に示すマウス５４やキーボード５３がその役割を担うものであり、図１に示すワークステーション２０で生成された印刷画像データが格納される格納フォルダと、印刷画像データを構成する複数の色版データが格納フォルダに入力される色順などが設定される。
【００５５】
取得部３２０には、図３に示すハードディスク装置５１３がその役割を担う複数のドロップフォルダ５０Ａ，５０Ｂが用意されている。ワークステーション２０から送られてきた印刷画像データは、オペレータによって、ドロップフォルダ５０Ａ，５０Ｂのうちのいずれかに格納される。取得部３２０は、本発明にいう取得部の一例に相当する。
【００５６】
色関連部３３０は、取得部３２０において、印刷画像データを構成する複数の色版データそれぞれが入力された順番に従って、それら複数の色版データそれぞれに設定部３１０で設定された色順で色を関連付ける。色関連部３３０は、本発明にいう色関連部の一例に相当する。
【００５７】
特色判定部３４０は、取得部３２０で取得された印刷画像データに対し、その印刷画像データが表わす画像に特色（Ｓ）が含まれているか否かを判定する。特色判定部３４０は、本発明にいう特色判定部の一例に相当する。
【００５８】
図３に示すハードディスク装置５１３には、図１に示す特色印刷機４１用のＣＭＹＫ４色の色データとカラープリンタ６０用のＣ´Ｍ´Ｙ´Ｋ´４色の色データとが対応付けられた４次元−４次元のＬＵＴと、特色印刷機４１用のＳ（特色）の色データとＣ´Ｍ´Ｙ´Ｋ´４色の色データとが対応付けられた１次元−４次元のＬＵＴとで構成される特色用プロファイルと、多色プロセス印刷機４２用のＣＭＹＫＯＧ６色の色データとＣ´Ｍ´Ｙ´Ｋ´４色の色データとが対応付けられた６次元−４次元のＬＵＴである多色用プロファイルとが予め記憶されている。指示部３５０は、特色判定部３４０において、印刷画像データが表わす画像に特色が含まれていると判定された場合には、特色用プロファイルを使って色変換を行う指示とともに印刷画像データを色変換部３６０に送り、印刷画像に特色が含まれていないと判定された場合には、多色用プロファイルを使って色変換を行う指示とともに印刷画像データを色変換部３６０に送る。この指示部３５０は、本発明にいう出力部および指示部それぞれの一例に相当する。
【００５９】
色変換部３６０は、指示部３５０から伝えられた指示に従って色変換処理を行い、印刷画像データをプルーフ画像データに変換する。変換されたプルーフ画像データは、カラープリンタ６０に送られる。この色変換部３６０は、本発明にいう指示取得部および色変換部それぞれの一例に相当する。
【００６０】
色変換装置３００は、基本的には以上のように構成されている。
【００６１】
続いて、この色変換装置３００において、印刷画像データがプルーフ画像データに変換され、プルーフ画像がプリント出力されるまでの一連の処理について説明する。
【００６２】
図６は、印刷画像データが取得されて、プルーフ画像がプリント出力されるまでの一連の処理を示す図である。
【００６３】
プルーフ画像の生成に先立って、オペレータの操作に従って、印刷画像データが格納される格納フォルダと、印刷画像データを構成する複数の色版データそれぞれに関連付ける色順とが設定される（図６のステップＳ１１）。この色変換装置３００には、格納フォルダや色順を設定するための設定画面が予め用意されている。
【００６４】
図７は、設定画面の一例を示す図である。
【００６５】
設定画面４００には、格納フォルダを指定するためのフォルダ指定部４１０と、色順を指定するための色順指定部４２０とが備えられている。フォルダ指定部４１０の入力欄、および色順指定部４２０の入力欄にはそれぞれに番号が付されており、同じ番号が付された入力欄に入力された格納フォルダと色順とが対応付けられる。この例では、プロファイル指定部４１０の１番目の指定欄に入力された「ドロップフォルダ５０Ａ」と、色順指定部４２０の１番目の指定欄に入力された「Ｃ，Ｍ，Ｙ，Ｋ，特色（Ｓ）」の色順とが対応付けられ、プロファイル指定部４１０の２番目の指定欄に入力された「ドロップフォルダ５０Ｂ」と、色順指定部４２０の２番目の指定欄に入力された「Ｃ，Ｍ，Ｙ，Ｋ，Ｏ，Ｇ」の色順とが対応付けられる。すなわち、図５および図６で左側に示されている方のドロップフォルダ５０Ａには、Ｃ，Ｍ，Ｙ，Ｋ４色のプロセス色とＳ（特色）とで構成される特色画像を表わす印刷画像データが入力され、ＣＭＹＫ４色のプロセス色版を表わすプロセス色データと、Ｓの特色版を表わす特色データに、Ｃ，Ｍ，Ｙ，Ｋ，Ｓの順に色が関連付けられる。ドロップフォルダ５０Ａは、本発明にいう特色格納部の一例に相当する。また、図５および図６の右側に示すドロップフォルダ５０Ｂには、Ｃ，Ｍ，Ｙ，Ｋ，Ｏ，Ｇ６色のプロセス色で構成される多色プロセス画像を表わす印刷画像データが入力され、それら各色版を表わすプロセス色データに、Ｃ，Ｍ，Ｙ，Ｋ，Ｏ，Ｇの順で色が関連付けられる。このドロップフォルダ５０Ｂは、本発明にいうプロセス格納部の一例に相当する。
【００６６】
図７に示すような設定画面４００を使って、オペレータによって、格納フォルダや色順が設定される。
【００６７】
続いて、オペレータは、印刷画像データを構成する複数の色版データのうち、ＣＭＹＫ以外の追加色の色版データを「特色」として扱いたい場合（すなわち、特色画像を再現したい場合）には、図１のワークステーション２０から送られてきた印刷画像データを、図７の設定画面を使って特色画像用の格納フォルダとして設定した図５の左側のドロップフォルダ５０Ａに格納し、ＣＭＹＫ以外の追加色の色版データを「プロセス色」として扱いたい場合（すなわち、多色プロセス画像を再現したい場合）には、図１のワークステーション２０から送られてきた印刷画像データを、多色プロセス画像用の格納フォルダとして設定した図５の右側のドロップフォルダ５０Ｂに格納する。
【００６８】
図５の左側に示すドロップフォルダ５０Ａに印刷画像データが格納された場合（図６のステップＳ１２）、特色判定部３４０では、ドロップフォルダ５０Ａに対応付けられた色版（Ｃ，Ｍ，Ｙ，Ｋ，特色）に基づいて、その印刷画像データが表わす画像に特色（Ｓ）が含まれていると判定される。判定結果は、指示部３５０に伝えられる。
【００６９】
また、色関連部３３０では、印刷画像データを構成する複数の色版データそれぞれに対して、それら複数の色版データが入力された順番で、設定部３１０で設定された色順に色が関連付けられる（図６のステップＳ１３）。この例では、ドロップフォルダ５０Ａに入力された５つの色版データに対し、その入力された順に、Ｃ，Ｍ，Ｙ，Ｋ，特色（Ｓ）それぞれの色が関連付けられる。色版データに色が関連付けられた印刷画像データは、指示部３５０に伝えられる。
【００７０】
指示部３５０では、色関連部３３０から伝えられた印刷画像データが色変換部３６０に送られる。また、特色判定部３４０において、特色が含まれていると判定されたため、特色用プロファイルを使った色変換を行う指示も色変換部３６０に送られる。
【００７１】
色変換部３６０では、指示部３５０から伝えられた印刷画像データが、ハードディスク装置５１３に記憶された特色用プロファイルを使ってプルーフ画像データに変換される（図６のステップＳ１４）。この特色用プロファイルは、図１に示す特色印刷機４１用のＣＭＹＫ４色の色データとカラープリンタ６０用のＣ´Ｍ´Ｙ´Ｋ´４色の色データとが対応付けられた４次元−４次元のＬＵＴと、および特色印刷機４１用のＳ（特色）の色データとＣ´Ｍ´Ｙ´Ｋ´４色の色データとが対応付けられた１次元−４次元のＬＵＴとで構成されたものであり、４次元−４次元のＬＵＴに従って、印刷画像データを構成するＣＭＹＫ４色のプロセス色データがＣ´Ｍ´Ｙ´Ｋ´４色のプロセス分解データに変換され、１次元−４次元のＬＵＴに従って、Ｓの特色データがＣ´Ｍ´Ｙ´Ｋ´４色の特色分解データに変換される。変換後のプロセス分解データおよび特色分解データは、カラープリンタ６０に伝えられる。
【００７２】
カラープリンタ６０では、プロセス分解データおよび特色分解データに基づいてプルーフ画像６１ａがプリント出力される。このプルーフ画像６１ａは、ＣＭＹＫ４色のプロセス色版画像と、Ｓの特色版画像との重ね合わせで表現される特色画像４１ａを再現したものであり、特色画像４１ａ中のＣＭＹＫ４色の混色が、Ｃ´Ｍ´Ｙ´Ｋ´４色のプロセス分解データが表わす４色の混色によって表現されるとともに、特色画像４１ａ中のＳ色（特色）が、Ｃ´Ｍ´Ｙ´Ｋ´４色の特色分解データが表わす４色の混色によって表現されている。
【００７３】
また、図１のワークステーション２０から送られてきた印刷画像データが図５の右側に示すドロップフォルダ５０Ｂに格納された場合（図６のステップＳ１５）には、特色判定部３４０では、ドロップフォルダ５０Ｂに対応付けられた色版（Ｃ，Ｍ，Ｙ，Ｋ，Ｏ，Ｇ）に基づいて、その印刷画像データが表わす印刷画像には特色（Ｓ）が含まれていないと判定される。
【００７４】
また、色関連部３３０では、ドロップフォルダ５０Ｂに入力された６つの色版データに対し、その入力された順に、Ｃ，Ｍ，Ｙ，Ｋ，Ｏ，Ｇそれぞれの色が関連付けられる（図６のステップＳ１６）。
【００７５】
続いて、指示部３５０では、色関連部３３０から伝えられた印刷画像データが、判定部での判定結果（特色が含まれていない）に基づいて、多色用プロファイルを使った色変換を行う指示とともに色変換部３６０に送られる。
【００７６】
色変換部３６０では、指示部３５０から伝えられた印刷画像データが、ハードディスク装置５１３に記憶された多色用プロファイルを使ってプルーフ画像データに変換される（図６のステップＳ１７）。多色用プロファイルは、図１に示す多色プロセス印刷機４２用のＣＭＹＫＯＧ６色の色データとカラープリンタ６０用のＣ´Ｍ´Ｙ´Ｋ´４色の色データとが対応付けられた６次元−４次元のＬＵＴであり、印刷画像データを構成するＣＭＹＫＯＧ６色のプロセス色データがＣ´Ｍ´Ｙ´Ｋ´４色のプロセス分解データに変換される。変換後のプロセス分解データは、カラープリンタ６０に伝えられる。
【００７７】
カラープリンタ６０では、Ｃ´Ｍ´Ｙ´Ｋ´４色のプロセス分解データに基づいてプルーフ画像６２ａがプリント出力される。このプルーフ画像６２ａは、ＣＭＹＫＯＧ６色のプロセス色版画像の重ね合わせで表現される多色特色画像４２ａを再現したものであり、その多色特色画像４２ａの色がＣ´Ｍ´Ｙ´Ｋ´４色のプロセス分解データが表わす４色の混色によって表現されている。
【００７８】
以上のように、本実施形態によると、特色画像と多色画像とを区別して再現することができる。
【００７９】
以上で、本発明の第１実施形態の説明を終了し、本発明の第２実施形態について説明する。本発明の第１実施形態と第２実施形態とでは、ほぼ同様の構成を有しているため、第１実施形態と同じ要素については同じ符号を付して説明を省略し、第１実施形態との相違点に注目して説明する。
【００８０】
図８は、本発明の第２実施形態である色変換装置３０１の機能ブロック図である。
【００８１】
図８に示すように、色変換装置３０１は、図５に示す第１実施形態の色変換装置３００とほぼ同様の構成を有しているが、本実施形態の色変換装置３０１には、一致判定部３７０が備えられている。また、図５に示す第１実施形態の色変換装置３００では、設定部３１０において、格納フォルダと、印刷画像データを構成する複数の色版データが入力される色順とが設定されるが、本実施形態の色変換装置３０１では、設定部３１０において、格納フォルダと、その格納フォルダに格納された印刷画像データをプルーフ画像データに変換するための色変換プロファイルとが設定される。
【００８２】
図９は、格納フォルダと色変換プロファイルとを設定するための設定画面の一例を示す図である。
【００８３】
設定画面５００には、格納フォルダを指定するためのフォルダ指定部５１０と、色変換プロファイルを指定するためのプロファイル指定部５２０とが備えられている。フォルダ指定部５１０の入力欄、およびプロファイル指定部５２０の入力欄にはそれぞれに番号が付されており、同じ番号が付された入力欄に入力された格納フォルダと色変換プロファイルとが対応付けられる。この例では、プロファイル指定部５２０の１番目の指定欄に入力された「ドロップフォルダ５０Ａ」と、プロファイル指定部５２０の１番目の指定欄に入力された「特色用プロファイル１」とが対応付けられ、プロファイル指定部４２０の２番目の指定欄に入力された「ドロップフォルダ５０Ｂ」と、プロファイル指定部４２０の２番目の指定欄に入力された「多色用プロファイル２」とが対応付けられる。
【００８４】
図８に示す設定部３１０では、図９に示す設定画面５００を使って入力された格納フォルダと色変換プロファイルとが設定される。
【００８５】
図１のワークステーション２０から送られてきた印刷画像データが、オペレータの指示に従って図５に示すドロップフォルダ５０Ａ，５０Ｂのうちのいずれかに格納されると、特色判定部３４０では、図３に示すハードディスク装置５１３に記憶された各種色変換プロファイルのうち、印刷画像データが格納された格納フォルダと対応付けられた色変換プロファイルが取得される。また、特色判定部３４０では、取得された色変換プロファイルに基づいて、その色変換プロファイルを使ってプルーフ画像データに変換される印刷画像データが、どのような色版データで構成されており、それらの色版データがどのような色順で入力されるのかが分析される。本実施形態においては、ＩＣＣプロファイルのヘッダフォーマット中に標準的に用意されているパラメータ「Ｃｏｌｏｒ  Ｓｐａｃｅ」が参照され、その「Ｃｏｌｏｒ  Ｓｐａｃｅ」が「ＣＭＹＫ」であれば、ＣＭＹＫ４色のプロセス色＋特色の色版データで構成された印刷画像データがＣ，Ｍ，Ｙ，Ｋと順次に入力されると判定され、「６ＣＬＲ」であれば、ＣＭＹＫＯＧ６色のプロセス色データで構成された印刷画像データがＣ，Ｍ，Ｙ，Ｋ，Ｏ，Ｇと順次に入力されると判定される。判定結果は、色関連部３３０に伝えられる。
【００８６】
色関連部３３０では、ドロップフォルダ５０Ａ，５０Ｂに格納された印刷画像データが取得され、印刷画像データを構成する複数の色版データそれぞれに、入力された順番で、特色判定部３４０から伝えられた色順に色が関連付けられる。色が関連付けられた印刷画像データは、一致判定部３７０に伝えられる。
【００８７】
ここで、本実施形態においては、印刷画像データを構成する複数の色版データには、各色版データが表わす色版画像の色名が付されている。一致判定部３７０では、色版データに関連付けられた色と、その色版データに付された色名が表わす色とが一致するか否かが判定され、一致すると判定された場合にのみ、印刷画像データが指示生成部３５０に伝えられる。一致しないと判定された場合には、図２に示す画像表示装置５５にエラーメッセージの表示指示が伝えられ、表示画面５５ａ上に「色不一致」というエラーメッセージが表示される。関連付けられた色と、色名が表わす色とが一致した場合にのみ印刷画像データが指示部３５０に送られることによって、誤った色変換が行われてしまう不具合が回避される。
【００８８】
指示部３５０では、特色判定部３４０においてＣＭＹＫ４色のプロセス色＋特色の色版データで構成された印刷画像データが入力されると判定された場合には、色変換部３６０に、ＣＭＹＫ４色の色版データ以外の色版データを特色データとして扱う指示が伝えられ、ＣＭＹＫＯＧ６色のプロセス色の色版データで構成された印刷画像データが入力されると判定された場合には、色変換部３６０に、ＣＭＹＫ４色の色版データ以外の色版データもプロセス色データとして扱う指示が伝えられる。
【００８９】
色変換部３６０では、指示部３５０から伝えられた指示に従い、設定部３１０において設定された色変換プロファイルを使って、印刷画像データがプルーフ画像データに変換される。
【００９０】
このように、格納フォルダに色変換プロファイルを対応付け、その色変換プロファイルを分析して、印刷画像データが表わす画像に特色が含まれるか否かを判定することによっても、特色画像と多色プロセス画像とを区別して再現することができる。
【００９１】
以上で、本発明の第２実施形態の説明を終了し、本発明の第３実施形態について説明する。本発明の第３実施形態は、上述した第１実施形態および第２実施形態とほぼ同様の構成を有しているため、第１実施形態および第２実施形態と同じ要素については同じ符号を付して説明を省略し、第１実施形態および第２実施形態との相違点についてのみ説明する。
【００９２】
図１０は、第３実施形態の色変換装置の機能ブロック図である。
【００９３】
本実施形態の色変換装置３０２は、第１実施形態の色変換装置３００とほぼ同様の構成を有しているが、本実施形態の色変換装置３０２には、色関連部３３０および設定部３１０が備えられていない。また、本実施形態の色変換装置３０２は、ＣＭＹＫＯＧ６色のプロセス色に加えて、Ｓの特色インクを使って印刷画像を印刷する特色・多色印刷機用の印刷画像データが入力される。
【００９４】
図１に示すワークステーション２０を操作するオペレータによって、ＣＭＹＫＯＧ６色のプロセスインクに加えて、特色インク（Ｓ）を使用する印刷画像が編集され、特色インクで刷られる画像部分を表わす特色データと、特色以外の画像部分がＣ，Ｍ，Ｙ，Ｋ，Ｏ，Ｇ６色に色分解された６色のプロセス色データとで構成された印刷画像データが生成される。オペレータによって、印刷画像データに基づいてプルーフ画像をプリント出力するジョブの実行が指示されると、印刷画像データを構成するＣＭＹＫＯＧ６色のプロセス色データ、およびＳの特色データそれぞれに、ジョブ名、色版データがプロセス色データか特色データかを示す符号、および色版データの色名等で構成されたデータ名が付され、それら色版データが図１０のドロップフォルダ５０Ｃに格納される。以下には、印刷画像データを構成する複数の色版データそれぞれに付されたデータ名の一例を示す。
【００９５】
ジョブ名ＡＡＡＡの印刷画像データ
Ｃ色：ＡＡＡＡ＿Ｐ＿Ｃｙａｎ．ｔｉｆ
Ｍ色：ＡＡＡＡ＿Ｐ＿Ｍａｇｅｎｔａ．ｔｉｆ
Ｙ色：ＡＡＡＡ＿Ｐ＿Ｙｅｌｌｏｗ．ｔｉｆ
Ｋ色：ＡＡＡＡ＿Ｐ＿Ｂｌａｃｋ．ｔｉｆ
Ｏ色：ＡＡＡＡ＿Ｐ＿Ｏｒａｎｇｅ．ｔｉｆ
Ｇ色：ＡＡＡＡ＿Ｐ＿Ｇｒｅｅｎ．ｔｉｆ
Ｓ色：ＡＡＡＡ＿Ｓ＿Ｓｉｌｖｅｒ．ｔｉｆ
ジョブ名ＢＢＢＢの印刷画像データ
Ｃ色：ＢＢＢＢ＿Ｐ＿Ｃｙａｎ．ｔｉｆ
Ｍ色：ＢＢＢＢ＿Ｐ＿Ｍａｇｅｎｔａ．ｔｉｆ
Ｙ色：ＢＢＢＢ＿Ｐ＿Ｙｅｌｌｏｗ．ｔｉｆ
・・・
図１０に示すドロップフォルダ５０Ｃには、印刷画像データに基づいてプルーフ画像をプリント出力するジョブの実行が指示される毎に、上述したようなデータ名が付された複数の色版データが入力される。このため、ドロップフォルダ５０Ｃには、複数のジョブ用の複数の色版データが混在して格納されている。
【００９６】
取得部３２０は、ドロップフォルダ５０Ｃに格納された複数の色版データのうち、同じジョブ名が含まれたデータ名が付された色版データをまとめて特色判定部３４０に伝える。
【００９７】
特色判定部３４０は、取得部３２０から伝えられた複数の色版データのうち、データ名に特色を表わす「Ｓ」が含まれた色版データを検索する。また、特色判定部３４０は、指示部３５０に印刷画像データを伝えるとともに、検索して見つかった色版データが特色データであることを指示部３５０に伝える。
【００９８】
指示部３５０は、色変換部３６０に印刷画像データを伝える。また、指示部３５０は、特色判定部３４０で判定された特色データに対しては、その特色データが表わす色をＣ´Ｍ´Ｙ´Ｋ´に色分解する指示を色変換部３６０に伝え、特色データを除くプロセス色データに対しては、それらプロセス色データそれぞれが表わす色の混色をＣ´Ｍ´Ｙ´Ｋ´に色分解する指示を色変換部３６０に伝える。
【００９９】
色変換部３６０では、図３に示すハードディスク装置５１３に記憶された各種色変換プロファイルのうち、指定部３５０から伝えられた指示に応じた色変換プロファイルが取得され、その色変換プロファイルを使って、Ｓの特色データがＣ´Ｍ´Ｙ´Ｋ´４色の特色分解データに変換され、ＣＭＹＫＯＧのプロセス色データがＣ´Ｍ´Ｙ´Ｋ´４色のプロセス分解データに変換される。
【０１００】
このように、印刷画像データを構成する複数の色版データに特色データが含まれているか否かを判定するのではなく、どの色版データが特色データであるのかを判定することによって、ＣＭＹＫ４色に加えてＯＧ色をプロセス色として扱い、さらに、Ｓ色を特色として扱うことができ、特色が含まれた多色プロセス画像を再現することができる。
【０１０１】
ここで、上記では、１つの色変換装置３００内で、色変換の指示と色変換との双方を行う例について説明したが、本発明にいうデータ出力装置と色変換装置とは、別々の装置に設けられてもよい。
【０１０２】
また、上記では、色変換装置に色変換プロファイルを記憶しておく例について説明したが、本発明にいう特色用プロファイルやプロセス用プロファイルは、色変換装置とネットワーク等で接続されたサーバ装置などに記憶されたものであってもよい。
【図面の簡単な説明】
【０１０３】
【図１】本発明の一実施形態が組み込まれた印刷・プルーフシステムの全体構成図である。
【図２】パーソナルコンピュータの外観斜視図である。
【図３】パーソナルコンピュータのハードウェア構成図である。
【図４】色変換プログラムが記憶されたＣＤ−ＲＯＭを示す概念図である。
【図５】色変換装置の機能ブロック図である。
【図６】印刷画像データが取得されて、プルーフ画像がプリント出力されるまでの一連の処理を示す図である。
【図７】格納フォルダと色順とを設定するための設定画面の一例を示す図である。
【図８】本発明の第２実施形態である色変換装置の機能ブロック図である。
【図９】格納フォルダと色変換プロファイルとを設定するための設定画面の一例を示す図である。
【図１０】第３実施形態の色変換装置の機能ブロック図である。
【符号の説明】
【０１０４】
１０    カラースキャナ
２０    ワークステーション
３０    ＣＴＰ
４１    特色印刷機
４２    多色プロセス印刷機
５０    パーソナルコンピュータ
６０    カラープリンタ
５１    本体装置
５１ａ    ＦＤ装填口
５１ｂ    ＣＤ−ＲＯＭ装填口
５２ａ    表示画面
５２    画像表示装置
５３    キーボード
５４    マウス
５５    バス
５１１    ＣＰＵ
５１２    主メモリ
５１３    ハードディスク装置
５１４    ＦＤドライブ
５１５    ＣＤ−ＲＯＭドライブ
５１６    入力インタフェース
５１７    出力インタフェース
１００    ＦＤ
１１０    ＣＤ−ＲＯＭ
２００    色変換プログラム
２１０    設定部
２２０    取得部
２３０    色関連部
２４０    特色判定部
２５０    指示部
２６０    色変換部
３００    色変換装置
３１０    設定部
３２０    取得部
３３０    色関連部
３４０    特色判定部
３５０    指示部
３６０    色変換部
【図１】
2007336274.tif 000003
【図２】
2007336274.tif 000004
【図３】
2007336274.tif 000005
【図４】
2007336274.tif 000006
【図５】
2007336274.tif 000007
【図６】
2007336274.tif 000008
【図７】
2007336274.tif 000009
【図８】
2007336274.tif 000010
【図９】
2007336274.tif 000011
【図１０】
2007336274.tif 000012